(57)【要約】【課題】暖房運転又は冷房運転の起動時に発生する、冷媒回路を可逆的に切り換える切換機構のショック音を低減することができる空調装置を提供する。【解決手段】空調装置は、運転周波数が変更可能な圧縮機と、室外熱交換器及び室内熱交換器と、冷媒回路を可逆的に切り換える切換機構とを備える。冷房運転又は暖房運転の運転開始に伴う圧縮機の起動時において、所定時間に亘り切換機構を逆サイクルに切り換えた状態で圧縮機を第１目標周波数で運転させた後、圧縮機の運転周波数を第１目標周波数から第１目標周波数よりも低い第２目標周波数で圧縮機を運転させる冷媒排出起動運転を実行する場合、第１目標周波数から第２目標周波数に運転周波数を低下させるときの第１変更速度は、暖房運転時において圧縮機の運転周波数を低下させるときの第２変更速度よりも速い。【選択図】  図５
2019082278.tif 000002
【特許請求の範囲】
【請求項１】
運転周波数が変更可能な圧縮機（１１）と、室外熱交換器（１３）及び室内熱交換器（２１）と、冷媒回路（４０）を可逆的に切り換える切換機構（１２）とを備え、前記切換機構（１２）によって冷房運転時の冷媒の流れと暖房運転時の前記冷媒の流れとを切り換える空調装置（１）であって、
前記冷房運転又は前記暖房運転の運転開始に伴う前記圧縮機（１１）の起動時において、所定時間に亘り前記切換機構（１２）を逆サイクルに切り換えた状態で前記圧縮機（１１）を第１目標周波数（ＦＡ１）で運転させた後、前記圧縮機（１１）の運転周波数を前記第１目標周波数（ＦＡ１）から前記第１目標周波数（ＦＡ１）よりも低い第２目標周波数（ＦＡ２）で前記圧縮機（１１）を運転させる冷媒排出起動運転を実行する場合、前記第１目標周波数（ＦＡ１）から前記第２目標周波数（ＦＡ２）に前記運転周波数を低下させるときの第１変更速度は、前記冷房運転又は前記暖房運転時において前記圧縮機（１１）の前記運転周波数を低下させるときの第２変更速度よりも速い
空調装置。
【請求項２】
前記第１変更速度は、前記第２変更速度の２倍以上である
請求項１に記載の空調装置。
【請求項３】
運転周波数が変更可能な圧縮機（１１）と、室外熱交換器（１３）及び室内熱交換器（２１）と、冷媒回路（４０）を可逆的に切り換える切換機構（１２）とを備え、前記切換機構（１２）によって冷房運転時の冷媒の流れと暖房運転時の前記冷媒の流れとを切り換える空調装置（１）であって、
前記冷房運転又は前記暖房運転の運転開始に伴う前記圧縮機（１１）の起動時において、所定時間に亘り前記切換機構（１２）を逆サイクルに切り換えた状態で前記圧縮機（１１）を第１目標周波数（ＦＡ１）で運転させた後、前記圧縮機（１１）の運転周波数を前記第１目標周波数（ＦＡ１）から前記第１目標周波数（ＦＡ１）よりも低い第２目標周波数（ＦＡ２）で前記圧縮機（１１）を運転させる冷媒排出起動運転を実行する場合、前記第１目標周波数（ＦＡ１）から前記第２目標周波数（ＦＡ２）に前記運転周波数を低下させるときの第１変更速度は、前記冷媒排出起動運転時における前記運転周波数を前記第１目標周波数に上昇させるときの第３変更速度よりも速い
空調装置。
【請求項４】
前記第１変更速度は、前記第３変更速度の２倍以上である
請求項３に記載の空調装置。
【請求項５】
前記第２目標周波数は、０よりも大きい
請求項１〜４のいずれか一項に記載の空調装置。
【請求項６】
当該空調装置（１）は、前記室外熱交換器（１３）を通過する室外空気の気流を発生させる室外送風機（１５）を備え、
前記室外送風機（１５）は、前記暖房運転の運転開始に伴う前記冷媒排出起動運転時において前記圧縮機（１１）が前記第１目標周波数（ＦＡ１）で運転しているときに第１回転速度（ＲＳ１）となるように駆動され、前記圧縮機（１１）が前記第２目標周波数（ＦＡ２）で運転しているときに前記第１回転速度（ＲＳ１）よりも速い第２回転速度（ＲＳ２）となるように駆動される
請求項１〜５のいずれか一項に記載の空調装置。
【請求項７】
当該空調装置（１）は、前記冷媒回路（４０）における前記室外熱交換器（１３）と前記室内熱交換器（２１）との間に設けられた膨張弁（１４）を備え、
前記膨張弁（１４）は、前記冷媒排出起動運転時において前記圧縮機（１１）が前記第１目標周波数（ＦＡ１）で運転しているときに第１開度（ＶＡ１）となるように駆動され、前記圧縮機（１１）が前記第２目標周波数（ＦＡ２）で運転しているときに前記第１開度（ＶＡ１）よりも小さく、かつ、前記冷媒排出起動運転の終了後、前記暖房運転又は前記冷房運転の運転開始時における前記膨張弁（１４）の開度よりも大きい第２開度（ＶＡ２）となるように駆動される
請求項１〜６のいずれか一項に記載の空調装置。
【発明の詳細な説明】
【技術分野】
【０００１】
本発明は、空調装置に関する。
【背景技術】
【０００２】
従来から空調装置では、圧縮機内の潤滑油中に液冷媒が溶解して溜まり込む、所謂寝込み現象の発生を抑制するため、冷房運転又は暖房運転の運転開始時において、圧縮機の起動から所定時間だけ四路切換弁を逆サイクルに切り替える制御が行われている（例えば、特許文献１参照）。
【先行技術文献】
【特許文献】
【０００３】
【特許文献１】特開昭６３−１２９２５７号公報
【発明の概要】
【発明が解決しようとする課題】
【０００４】
従来の空調装置では、逆サイクル時における圧縮機の周波数の変更速度は、一律であった。すなわち逆サイクル時において、圧縮機の運転周波数を上げていくときの変更速度と、運転周波数を下げていくときの変更速度とが互いに等しい。このため、逆サイクルの運転から冷房運転又は暖房運転等の通常運転に変更するとき、四路切換弁において室外熱交換器及び室内熱交換器にそれぞれ接続される切換ポートが均圧になることが望ましいが、均圧になる時間が十分に取れず、均圧しない状態で四路切換弁を作動させるため、四路切換弁の切換動作時のショック音が大きくなっていた。
【０００５】
本発明は、このような事情に鑑みてなされたものであって、暖房運転又は冷房運転の起動時に発生する、冷媒回路を可逆的に切り換える切換機構のショック音を低減することができる空調装置を提供することを目的とする。
【課題を解決するための手段】
【０００６】
この課題を解決する空調装置は、運転周波数が変更可能な圧縮機と、室外熱交換器及び室内熱交換器と、冷媒回路を可逆的に切り換える切換機構とを備え、前記切換機構によって冷房運転時の冷媒の流れと暖房運転時の前記冷媒の流れとを切り換える空調装置であって、前記冷房運転又は前記暖房運転の運転開始に伴う前記圧縮機の起動時において、所定時間に亘り前記切換機構を逆サイクルに切り換えた状態で前記圧縮機を第１目標周波数で運転させた後、前記圧縮機の運転周波数を前記第１目標周波数から前記第１目標周波数よりも低い第２目標周波数で前記圧縮機を運転させる冷媒排出起動運転を実行する場合、前記第１目標周波数から前記第２目標周波数に前記運転周波数を低下させるときの第１変更速度は、前記冷房運転又は前記暖房運転時において前記圧縮機の前記運転周波数を低下させるときの第２変更速度よりも速い。
【０００７】
この構成によれば、冷媒排出起動運転から冷房運転又は暖房運転を開始するまでの期間において第２目標周波数で圧縮機を運転させる期間を長くすることができる。圧縮機を第２目標周波数で運転することは、切換機構において室内熱交換器及び室外熱交換器のそれぞれに接続される切換ポート間の圧力差を低減することに寄与する。したがって、第２目標周波数で圧縮機を運転させる期間を長くすることにより切換機構の切換ポート間の圧力差を低減する効果が高まる。その結果、暖房運転又は冷房運転の起動時に発生する切換機構のショック音を低減することができる。
【０００８】
上記空調装置において、前記第１変更速度は、前記第２変更速度の２倍以上であることが好ましい。
この構成によれば、冷媒排出起動運転から冷房運転又は暖房運転を開始するまでの期間において第２目標周波数で圧縮機を運転させる期間をより長くすることができる。したがって、暖房運転又は冷房運転の起動時に発生する切換機構のショック音を一層低減することができる。
【０００９】
この課題を解決する空調装置は、運転周波数が変更可能な圧縮機と、室外熱交換器及び室内熱交換器と、冷媒回路を可逆的に切り換える切換機構とを備え、前記切換機構によって冷房運転時の冷媒の流れと暖房運転時の前記冷媒の流れとを切り換える空調装置であって、前記冷房運転又は前記暖房運転の運転開始に伴う前記圧縮機の起動時において、所定時間に亘り前記切換機構を逆サイクルに切り換えた状態で前記圧縮機を第１目標周波数で運転させた後、前記圧縮機の運転周波数を前記第１目標周波数から前記第１目標周波数よりも低い第２目標周波数で前記圧縮機を運転させる冷媒排出起動運転を実行する場合、前記第１目標周波数から前記第２目標周波数に前記運転周波数を低下させるときの第１変更速度は、前記冷媒排出起動運転時における前記運転周波数を前記第１目標周波数に上昇させるときの第３変更速度よりも速い。
【００１０】
この構成によれば、冷媒排出起動運転から冷房運転又は暖房運転を開始するまでの期間において第２目標周波数で圧縮機を運転させる期間を長くすることができる。圧縮機を第２目標周波数で運転することは、切換機構において室内熱交換器及び室外熱交換器のそれぞれに接続される切換ポート間の圧力差を低減することに寄与する。したがって、第２目標周波数で圧縮機を運転させる期間を長くすることにより切換機構の切換ポート間の圧力差を低減する効果が高まる。その結果、暖房運転又は冷房運転の起動時に発生する切換機構のショック音を低減することができる。
【００１１】
上記空調装置において、前記第１変更速度は、前記第３変更速度の２倍以上であることが好ましい。
この構成によれば、冷媒排出起動運転から冷房運転又は暖房運転を開始するまでの期間において第２目標周波数で圧縮機を運転させる期間をより長くすることができる。したがって、暖房運転又は冷房運転の起動時に発生する切換機構のショック音を一層低減することができる。
【００１２】
上記空調装置において、前記第２目標周波数は、０よりも大きいことが好ましい。
この構成によれば、冷媒排出起動運転終了後に圧縮機を一旦停止した後、冷房運転又は暖房運転を行う場合と比較して、冷房運転又は暖房運転開始時における圧縮機の運転周波数の上昇をスムーズに行うことができる。したがって、冷房運転又は暖房運転開始時における冷房能力又は暖房能力を高めることができる。
【００１３】
上記空調装置において、当該空調装置は、前記室外熱交換器を通過する室外空気の気流を発生させる室外送風機を備え、前記室外送風機は、前記暖房運転の運転開始に伴う前記冷媒排出起動運転時において前記圧縮機が前記第１目標周波数で運転しているときに第１回転速度となるように駆動され、前記圧縮機が前記第２目標周波数で運転しているときに前記第１回転速度よりも速い第２回転速度となるように駆動されることが好ましい。
【００１４】
この構成によれば、冷媒排出起動運転において第２目標周波数で圧縮機を運転するときに室外送風機によって室外熱交換器を冷却することにより、切換機構の切換ポート間の圧力差を低減する効果を高めることができる。
【００１５】
上記空調装置において、当該空調装置は、前記冷媒回路における前記室外熱交換器と前記室内熱交換器との間に設けられた膨張弁を備え、前記膨張弁は、前記冷媒排出起動運転時において前記圧縮機が前記第１目標周波数で運転しているときに第１開度となるように駆動され、前記圧縮機が前記第２目標周波数で運転しているときに前記第１開度よりも小さく、かつ、前記冷媒排出起動運転の終了後、前記暖房運転又は前記冷房運転の運転開始時における前記膨張弁の開度よりも大きい第２開度となるように駆動されることが好ましい。
【００１６】
冷媒排出起動運転において圧縮機の運転周波数が第１目標周波数から第２目標周波数に変更して圧縮機が運転するときに液戻りするおそれがある。その点、本空調装置では、圧縮機の運転周波数が第１目標周波数から第２目標周波数に変更するときに膨張弁の開度を第１開度よりも小さく、かつ、冷媒排出起動運転の終了後、暖房運転又は冷房運転の運転開始時における膨張弁の開度よりも大きい第２開度に変更することにより、液戻りを抑制することができる。
【発明の効果】
【００１７】
上記空調装置によれば、暖房運転又は冷房運転の起動時に発生する、冷媒回路を可逆的に切り換える切換機構のショック音を低減することができる。
【図面の簡単な説明】
【００１８】
【図１】本実施形態の空調装置を概念的に示す構成図。
【図２】空調装置の電気的構成を示すブロック図。
【図３】空調装置が実行する選択制御の処理手順を示すフローチャート。
【図４】暖房運転の運転開始時における（ａ）圧縮機、（ｂ）四路切換弁、（ｃ）室外送風機、及び（ｄ）膨張弁の動作の一例を示すタイムチャート。
【図５】本実施形態の作用を説明するための図であり、暖房運転の運転開始時における圧縮機の動作の一部を示すタイムチャート。
【発明を実施するための形態】
【００１９】
以下、図面を参照して、空調装置１について説明する。
図１に示すように、空調装置１は、屋外に設置される室外機１０と、屋内の壁面等に取り付けられる壁掛け型の室内機２０とが冷媒配管３０によって接続されることにより形成された冷媒回路４０を備える。
【００２０】
室外機１０は、運転周波数が変更可能な圧縮機１１、切換機構の一例である四路切換弁１２、室外熱交換器１３、膨張弁１４、室外送風機１５、及び室外制御装置１６を備える。室外送風機１５は、駆動源として回転速度を変更可能なモータ１５ａと、モータ１５ａの出力軸に接続された羽根車１５ｂとを有する。羽根車１５ｂの一例はプロペラファンである。
【００２１】
圧縮機１１は、例えば揺動ピストン型の圧縮機であり、圧縮機構と、モータと、モータの駆動力を圧縮機構に伝達するクランク軸（ともに図示略）とを備える。圧縮機１１は、冷媒を気液分離するためのアキュームレータ１１ａを備える。モータの一例は、３相ブラシレスモータである。膨張弁１４は、例えば開度を変更可能な電子膨張弁である。膨張弁１４は、冷媒の流通量を制御する。室外送風機１５は、室外熱交換器１３の伝熱管を流れる冷媒と室外空気との熱交換を促進させるため、モータ１５ａにより羽根車１５ｂを回転させることにより室外熱交換器１３を通過する室外空気の気流を発生させる。室外制御装置１６は、圧縮機１１のモータ、四路切換弁１２、膨張弁１４、及び室外送風機１５のモータ１５ａと電気的に接続されている。
【００２２】
室内機２０は、室内熱交換器２１、室内送風機２２、及び室内制御装置２３を備える。室内送風機２２は、駆動源として回転速度を変更可能なモータ２２ａと、モータ２２ａの出力軸に接続された羽根車（図示略）とを有する。羽根車の一例は、横流ファンである。室内送風機２２は、室内熱交換器２１の伝熱管を流れる冷媒と室内空気との熱交換を促進するため、モータ２２ａにより羽根車を回転させることにより室内熱交換器２１を通過する室内空気の気流を発生させる。室内制御装置２３は、室内送風機２２のモータ２２ａと電気的に接続されている。室内制御装置２３は、例えば空調装置１のリモートコントローラ５１（図２参照）と赤外線等により無線通信が可能なように構成されている。室内制御装置２３は、室外制御装置１６と信号線により有線通信が可能なように構成されている。これにより、リモートコントローラ５１による運転指示に基づいて室内制御装置２３が室内機２０を制御し、室外制御装置１６が室外機１０を制御する。
【００２３】
冷媒回路４０は、圧縮機１１、四路切換弁１２、室外熱交換器１３、及び膨張弁１４と、室内熱交換器２１とを冷媒配管３０によって環状に接続したものであって、四路切換弁１２を切り換えることにより、冷媒を可逆的に循環させるようにした蒸気圧縮式冷凍サイクルを実行することができる。
【００２４】
すなわち、四路切換弁１２が冷房モード接続状態（図示実線の状態）に切り換えられることにより、冷媒回路４０は、圧縮機１１、四路切換弁１２、室外熱交換器１３、膨張弁１４、室内熱交換器２１、四路切換弁１２、及び圧縮機１１の順に冷媒が循環する冷房サイクルが形成される。これにより、空調装置１では、室外熱交換器１３が凝縮器とし、室内熱交換器２１が蒸発器として作用させる冷房運転が行われる。また、四路切換弁１２が暖房モード接続状態（図示破線の状態）に切り換えられることにより、冷媒回路４０は、圧縮機１１、四路切換弁１２、室内熱交換器２１、膨張弁１４、室外熱交換器１３、四路切換弁１２、及び圧縮機１１の順に冷媒が循環する暖房サイクルが形成される。これにより、空調装置１では、室内熱交換器２１が凝縮器とし、室外熱交換器１３が蒸発器として作用させる暖房運転が行われる。
【００２５】
図２に示すように、空調装置１を制御する制御部５０は、室外制御装置１６及び室内制御装置２３を含んで構成されている。室外制御装置１６及び室内制御装置２３のそれぞれは、例えば予め定められる制御プログラムを実行する演算処理装置及び記憶部を含む。演算処理装置は、例えばＣＰＵ（Central Processing Unit）またはＭＰＵ（Micro Processing Unit）を含む。記憶部には、各種の制御プログラムおよび各種の制御処理に用いられる情報が記憶される。記憶部は、例えば不揮発性メモリおよび揮発性メモリを含む。
【００２６】
制御部５０には、リモートコントローラ５１、室内温度センサ５２、室内熱交換器温度センサ５３、室外温度センサ５４、室外熱交換器温度センサ５５、及び吐出管温度センサ５６が通信可能に接続されている。
【００２７】
より詳細には、リモートコントローラ５１は、室内制御装置２３に通信可能に接続されている。すなわちリモートコントローラ５１の運転指示（暖房運転、冷房運転等）や運転停止指示の信号を室内制御装置２３に出力する。室内温度センサ５２、及び室内熱交換器温度センサ５３は、室内制御装置２３に電気的に接続されている。室内温度センサ５２は、室内空気の温度を測定するためのセンサであり、例えば室内機２０（図１参照）の吸い込み口付近に設けられている。室内温度センサ５２は、室内温度に応じた信号を室内制御装置２３に出力する。室内熱交換器温度センサ５３は、室内熱交換器２１（図１参照）の特定の場所を流れる冷媒の温度を測定するためのセンサである。室内熱交換器温度センサ５３の一例はサーミスタである。室内熱交換器温度センサ５３は、室内熱交換器２１の特定の場所の冷媒の温度に応じた信号を室内制御装置２３に出力する。
【００２８】
また、室外温度センサ５４、室外熱交換器温度センサ５５、及び吐出管温度センサ５６は、室外制御装置１６に電気的に接続されている。室外温度センサ５４は、室外空気の温度を測定するためのセンサであり、例えば室外機１０（図１参照）の吸い込み口付近に設けられている。室外温度センサ５４は、室外空気の温度に応じた信号を室外制御装置１６に出力する。室外熱交換器温度センサ５５は、室外熱交換器１３（図１参照）の特定の場所を流れる冷媒の温度を測定するためのセンサである。室外熱交換器温度センサ５５の一例はサーミスタである。室外熱交換器温度センサ５５は、室外熱交換器１３の特定の場所の冷媒の温度に応じた信号を室外制御装置１６に出力する。吐出管温度センサ５６は、圧縮機１１の吐出管（図示略）の温度、すなわち圧縮機１１で圧縮された冷媒の温度を測定するためのセンサである。吐出管温度センサ５６は、圧縮機１１の吐出管に取り付けられている。吐出管温度センサ５６は、圧縮機１１で圧縮された冷媒の温度に応じた信号を室外制御装置１６に出力する。このように、制御部５０には、リモートコントローラ５１、室内温度センサ５２、室内熱交換器温度センサ５３、室外温度センサ５４、室外熱交換器温度センサ５５、及び吐出管温度センサ５６から各種の信号（運転指示や測定情報）が入力される。そして制御部５０は、室内温度センサ５２の測定情報に基づいて室内空気の温度（以下、「室内温度ＤＡ」）を取得し、室内熱交換器温度センサ５３の測定情報に基づいて室内熱交換器２１の冷媒温度ＤＣを取得する。また制御部５０は、室外温度センサ５４の測定情報に基づいて室外空気の温度（以下、「外気温ＤＯＡ」）を取得し、室外熱交換器温度センサ５５の測定情報に基づいて室外熱交換器１３の冷媒温度ＤＥを取得し、吐出管温度センサ５６の測定情報に基づいて圧縮機１１の吐出管の温度ＤＦを取得する。
【００２９】
また室内制御装置２３と室外制御装置１６とが電気的に接続されているため、室内制御装置２３が受信した運転停止指示、室内温度ＤＡ、及び室内熱交換器２１の冷媒温度ＤＣを室外制御装置１６に出力することができる。また、室外制御装置１６が受信した外気温ＤＯＡ、室外熱交換器１３の冷媒温度ＤＥ、及び圧縮機１１の吐出管の温度ＤＦを室内制御装置２３に出力することができる。
【００３０】
室内制御装置２３は、リモートコントローラ５１の運転指示や測定情報に基づいて室内送風機２２のモータ２２ａの回転速度を制御する。
室外制御装置１６は、リモートコントローラ５１の運転指示や測定情報に基づいて圧縮機１１の運転周波数、四路切換弁１２の冷房モード接続状態と暖房モード接続状態との切り換え、膨張弁１４の開度、及び室外送風機１５のモータ１５ａの回転速度を制御する。
【００３１】
制御部５０は、室内制御装置２３及び室外制御装置１６を通じて、リモートコントローラ５１の運転指示及び測定情報に基づいて、冷房運転及び暖房運転を実行する。制御部５０は、冷房運転及び暖房運転において、リモートコントローラ５１によって設定された室内温度になるように、圧縮機１１、膨張弁１４、室外送風機１５、及び室内送風機２２を制御する。
【００３２】
また制御部５０は、冷房運転及び暖房運転の運転開始時における圧縮機１１の起動時において、圧縮機１１の運転周波数を、暖房運転又は冷房運転に必要な運転周波数（以下、「必要運転周波数ＦＸ」）に達するように上昇させる。この場合、制御部５０は、圧縮機１１の起動時において圧縮機１１の不具合を回避することを目的として、圧縮機１１の運転周波数を必要運転周波数ＦＸに達するまでに徐々に上昇させる圧縮機保護制御を実行する。なお、圧縮機１１の不具合としては、圧縮機１１の起動時において圧縮機１１の運転周波数を急峻に上げることによって、圧縮機１１内の油面の低下や冷媒戻りに起因する希尺度進行、圧縮機１１への液戻り、室外熱交換器１３及び室内熱交換器２１において蒸発器として機能する熱交換器の氷結、圧縮機１１の吸入側が負圧になることが挙げられる。
【００３３】
圧縮機保護制御では、圧縮機１１の運転周波数が必要運転周波数ＦＸに達するまでに複数の目標周波数を段階的に経るようにすることにより圧縮機１１の運転周波数を徐々に上昇させる。詳述すると、制御部５０は、まず圧縮機１１の運転周波数を第１目標周波数まで上昇させ、その第１目標周波数を所定時間に亘り維持する。次に制御部５０は、圧縮機１１の運転周波数を第１目標周波数から第１目標周波数よりも高い第２目標周波数まで上昇させ、その第２目標周波数を所定時間に亘り維持する。制御部５０は、このような制御を複数回に亘り繰り返すことにより圧縮機１１の運転周波数を必要運転周波数ＦＸまで徐々に上昇させる。
【００３４】
なお、制御部５０は、冷房運転、暖房運転、及び圧縮機保護制御において、圧縮機１１の運転周波数を上昇させるときの上昇速度、及び運転周波数を低下させるときの低下速度を互いに等しくなるように設定している。これら上昇速度及び低下速度といった冷房運転、暖房運転、及び圧縮機保護制御における圧縮機１１の運転周波数の変更速度（第２変更速度）の一例は、毎秒２Ｈｚである。
【００３５】
ところで、空調装置１の運転が停止している場合、室内空気の温度及び室外空気の温度のうちの温度の低いほうに向けて冷媒が凝縮して溜まり込む。例えば室内空気の温度よりも室外空気の温度が低い場合、圧縮機１１内の潤滑油中に液冷媒が溶解して溜まり込んだり、室外熱交換器１３に液冷媒が溜まり込んだりする、所謂寝込み現象が生じる。この寝込み現象が発生した状態で暖房運転によって圧縮機１１を起動させる場合、圧縮機保護制御における圧縮機１１の運転周波数の上昇速度を速めると圧縮機１１にオイルフォーミングが発生し易くなり、圧縮機１１の故障の原因となる。このため、従来では、寝込み現象が生じるような場合、圧縮機保護制御における圧縮機１１の運転周波数の上昇速度を抑えて圧縮機１１が運転するため、圧縮機１１のオイルフォーミングの発生を抑制していた。その結果、暖房能力を向上させ難く、暖房運転開始から室内温度ＤＡが設定温度に達するまでの時間が長くなっていた。
【００３６】
そこで、制御部５０は、寝込み現象に起因して暖房運転時に圧縮機１１が故障することを回避するため、冷媒排出起動運転を実行する。冷媒排出起動運転において、制御部５０は、暖房運転の運転開始に伴う圧縮機１１の起動時において四路切換弁１２を所定時間（例えば１分間）に亘り逆サイクル（冷房モード接続状態）に切り換えた状態で圧縮機１１を運転させる。これにより、室外熱交換器１３に溜まり込んだ液冷媒を室内熱交換器２１に流通させる。室内熱交換器２１の液冷媒は、冷媒排出起動運転時に室内熱交換器２１によって蒸発してガス冷媒となり、圧縮機１１に吸い込まれる。これにより、圧縮機１１のオイルフォーミングの発生を抑制できるため、圧縮機保護制御における圧縮機１１の運転周波数が必要運転周波数ＦＸに達するまでの目標周波数の数を減らすことができる。すなわち圧縮機保護制御における圧縮機１１の立ち上げの速度を速くすることができる。これにより、圧縮機１１の運転周波数が必要運転周波数ＦＸに達するまでの時間を短くすることができ、暖房能力を向上させることができる。その結果、冷媒排出起動運転を開始してから室内温度ＤＡが設定温度に達するまでの時間が、従来の暖房運転開始から室内温度ＤＡが設定温度に達するまでの時間よりも短くなる。
【００３７】
また、寝込み現象が発生していなければ、圧縮機１１にオイルフォーミングが発生しないため、空調装置１は冷媒排出起動運転を実行しなくてもよい。そこで、制御部５０は、暖房運転の運転開始時に冷媒排出起動運転を実行するか否かを選択する選択制御を実行する。図３は選択制御のフローチャートを示す。
【００３８】
図３に示すように、制御部５０は、ステップＳ１１において寝込み現象が発生したか否かを判定する。制御部５０は、ステップＳ１１において、次の（条件１）〜（条件５）の判定条件の全てを満たす場合、寝込み現象が発生したと判定する。
（条件１）暖房運転の運転開始に伴う圧縮機１１の起動時であること。
（条件２）室内熱交換器２１の冷媒温度ＤＣから室外熱交換器１３の冷媒温度ＤＥを減算した値が温度閾値ＸＴよりも大きいこと（ＤＣ−ＤＥ＞ＸＴ）。
（条件３）圧縮機１１の吐出管の温度ＤＦが外気温ＤＯＡに補正偏差ＣＲＤＷを加えた温度よりも高いこと（ＤＦ＞ＤＯＡ＋ＣＲＤＷ）。
（条件４）外気温ＤＯＡが所定の室外温度範囲の下限値ＤＯＡＬよりも大きく、かつ室外温度範囲の上限値ＤＯＡＨ以下であること（ＤＯＡＬ＜ＤＯＡ≦ＤＯＡＨ）。
（条件５）室内温度ＤＡが室内温度閾値ＤＡＸよりも低いこと（ＤＡ＜ＤＡＸ）。
【００３９】
なお、条件２における温度閾値ＸＴは、冷媒排出起動運転を行うための室内熱交換器２１の冷媒温度ＤＣと室外熱交換器１３の冷媒温度ＤＥとの温度差であり、試験等により予め設定される。温度閾値ＸＴの一例は、１０℃である。条件３における補正偏差ＣＲＤＷは、寝込み起動と判定するために用いられる補正値である。補正偏差ＣＲＤＷの一例は３℃である。条件４における室外温度範囲の下限値ＤＯＡＬは、冷媒排出起動運転を行うための室外空気の温度の下限値であり、室外温度範囲の上限値ＤＯＡＨは、冷媒排出起動運転を行うための室外空気の温度の上限値である。下限値ＤＯＡＬの一例は、−２０℃である。上限値ＤＯＡＨの一例は、２℃である。条件５の室内温度閾値ＤＡＸは、冷媒排出起動運転を行うための室内空気の温度の上限値である。室内温度閾値ＤＡＸの一例は、１２℃である。
【００４０】
制御部５０は、ステップＳ１１において寝込み現象が発生していると判定した場合（ステップＳ１１：ＹＥＳ）、ステップＳ１２において冷媒排出起動運転を実行する。そして制御部５０は、ステップＳ１３において冷媒排出起動運転が終了したか否かを判定する。制御部５０は、冷媒排出起動運転が終了したか否かを例えば制御部５０に設けられたタイマに基づいて判定する。すなわち制御部５０は、冷媒排出起動運転が開始されたときにタイマのカウントを開始する。そして制御部５０は、タイマのカウントが閾値以上の場合、冷媒排出起動運転が終了していると判定する。制御部５０は、ステップＳ１３において冷媒排出起動運転が終了したと判定した場合（ステップＳ１３：ＹＥＳ）、ステップＳ１４において暖房運転（圧縮機保護制御）を実行する。一方、制御部５０は、ステップＳ１３において冷媒排出起動運転が終了していないと判定した場合（ステップＳ１３：ＮＯ）、再びステップＳ１３の判定に移行する。
【００４１】
また、制御部５０は、ステップＳ１１において寝込み現象が発生していないと判定した場合（ステップＳ１１：ＮＯ）、ステップＳ１４に移行して暖房運転（圧縮機保護制御）を実行する。すなわち、制御部５０は、寝込み現象が発生していない場合には冷媒排出起動運転を実行しない。
【００４２】
図４のタイムチャートを用いて、冷媒排出起動運転の詳細な内容について説明する。なお、以下の説明において、符号が付された空調装置１の各構成要素は、図１又は図２に示される空調装置１の各構成要素を示している。
【００４３】
制御部５０は、冷媒排出起動運転において、圧縮機１１、四路切換弁１２、室外送風機１５、及び膨張弁１４のそれぞれを制御する。なお、冷媒排出起動運転の運転開始前において、圧縮機１１の運転周波数は０であり、室外送風機１５のモータ１５ａの回転速度は０であり、膨張弁１４の開度は冷房運転又は暖房運転における膨張弁１４の開度（以下、基準開度）である。
【００４４】
制御部５０は、冷媒排出起動運転の運転開始時となる時刻ｔ１において、冷房運転時における四路切換弁１２の接続状態である冷房モード接続状態に切り換える。なお、四路切換弁１２の接続状態が既に冷房モード接続状態であった場合、冷房モード接続状態を維持するように四路切換弁１２を制御する。また制御部５０は、圧縮機１１の運転周波数を第１目標周波数ＦＡ１に設定して圧縮機１１を起動する。第１目標周波数ＦＡ１は、室外熱交換器１３内の液冷媒を排出するために必要な冷媒の流通を確保するための圧縮機１１の運転周波数であり、試験等により予め設定されている。第１目標周波数ＦＡ１は、暖房運転時における圧縮機１１の運転周波数よりも低い値である。第１目標周波数ＦＡ１の一例は、４６Ｈｚである。また制御部５０は、膨張弁１４の開度を第１開度ＶＡ１となるように膨張弁１４を駆動させる。また制御部５０は、室外送風機１５のモータ１５ａの回転速度を第１回転速度ＲＳ１となるように駆動させる。第１回転速度ＲＳ１の一例は、略０である。
【００４５】
時刻ｔ１〜時刻ｔ２にかけて圧縮機１１の運転周波数が上昇し、時刻ｔ２において圧縮機１１の運転周波数が第１目標周波数ＦＡ１に達する。ここで、制御部５０は、圧縮機１１の運転周波数を第１目標周波数ＦＡ１に上昇させるときの変更速度（第３変更速度）を、例えば毎秒２Ｈｚに設定している。制御部５０は、時刻ｔ２から時刻ｔ３までの期間に亘り圧縮機１１の運転周波数を第１目標周波数ＦＡ１に維持する。このように時刻ｔ１〜時刻ｔ３の期間において圧縮機１１が運転することにより、室外熱交換器１３内の液冷媒が排出されて室内熱交換器２１に向けて流れる。
【００４６】
時刻ｔ３において、制御部５０は、圧縮機１１の運転周波数を第１目標周波数ＦＡ１から第２目標周波数ＦＡ２に変更する。第２目標周波数ＦＡ２は、０Ｈｚよりも大きくかつ第１目標周波数ＦＡ１よりも低い周波数であり、四路切換弁１２において室外熱交換器１３に接続される切換ポート１２ａと室内熱交換器２１に接続される切換ポート１２ｂとの間の圧力差を解消させるために圧縮機１１を運転させることを目的とした周波数である。第２目標周波数ＦＡ２は、試験等により予め設定されている。第２目標周波数ＦＡ２の一例は、１６Ｈｚである。また制御部５０は、室外送風機１５のモータ１５ａの回転速度を第１回転速度ＲＳ１から第２回転速度ＲＳ２となるように駆動させる。第２回転速度ＲＳ２は、第１回転速度ＲＳ１よりも速い回転速度であり、試験等により予め設定される。第２回転速度ＲＳ２の一例は、６００ｒｐｍである。室外送風機１５のモータ１５ａを第２回転速度ＲＳ２で駆動させることにより、室外熱交換器１３に室外空気を当てて室外熱交換器１３を冷却する。これにより、四路切換弁１２の切換ポート１２ａ，１２ｂ間の圧力差の減少が促進されて均圧とすることができる。また制御部５０は、膨張弁１４の開度を第１開度ＶＡ１から第２開度ＶＡ２となるように膨張弁１４を駆動させる。第２開度ＶＡ２は、第１開度ＶＡ１よりも小さく、かつ基準開度よりも大きい開度であり、試験等により予め設定される。第２開度ＶＡ２の一例は、第１開度ＶＡ１の略１／２、又は１／２以下である。
【００４７】
そして時刻ｔ３から時刻ｔ４までの期間において圧縮機１１の運転周波数が低下する。ここで、制御部５０は、圧縮機１１の運転周波数を第１目標周波数ＦＡ１から第２目標周波数ＦＡ２に低下させるときの変更速度（第１変更速度）を第２変更速度よりも速くなるように設定している。第１変更速度は第２変更速度の２倍以上であることが好ましい。第１変更速度は第２変更速度の５倍以上であることが特に好ましい。また制御部５０は、第１変更速度を第３変更速度よりも速くなるように設定している。第１変更速度は第３変更速度の２倍以上であることが好ましい。第１変更速度は第３変更速度の５倍以上であることが特に好ましい。本実施形態では、制御部５０は、第１変更速度を例えば毎秒１０Ｈｚに設定している。制御部５０は、時刻ｔ４から時刻ｔ５までの期間において圧縮機１１の運転周波数を第２目標周波数ＦＡ２に維持している。
【００４８】
そして時刻ｔ５において、制御部５０は、四路切換弁１２を暖房モード接続状態に切り換える。また制御部５０は、圧縮機１１の運転周波数を第２目標周波数ＦＡ２から第３目標周波数ＦＡ３に変更する。第３目標周波数ＦＡ３の一例は、第１目標周波数ＦＡ１と等しい周波数である。その後、制御部５０は、圧縮機保護制御を実行し、図４の実線に示すとおり、圧縮機１１の運転周波数を第３目標周波数ＦＡ３から必要運転周波数ＦＸまで段階的に上昇させる。
【００４９】
また時刻ｔ５において、制御部５０は、室外送風機１５のモータ１５ａの回転速度を第２回転速度ＲＳ２から第３回転速度ＲＳ３になるようにモータ１５ａを駆動させる。第３回転速度ＲＳ３は、暖房運転時における基準となる回転速度であり、試験等により予め設定される。また制御部５０は、膨張弁１４の開度を基準開度となるように膨張弁１４を駆動させる。このように、時刻ｔ５において、暖房運転が開始される。
【００５０】
図１及び図５を参照して、本実施形態の作用について説明する。なお、比較空調装置は、圧縮機の第１目標周波数ＦＡ１から第２目標周波数ＦＡ２に変更するときの変更速度が、暖房運転時における圧縮機の運転周波数の第２変更速度（毎秒２Ｈｚ）や冷媒排出起動運転時における圧縮機１１の運転周波数の上昇速度である第３変更速度（毎秒２Ｈｚ）と等しくなるように圧縮機を制御するものである。また図５の破線のグラフは、比較空調装置の圧縮機が第１目標周波数ＦＡ１から第２目標周波数ＦＡ２に変更する場合の運転周波数の推移を示している。
【００５１】
空調装置１では、冷媒排気起動運転を実行するため、暖房運転を開始する前に四路切換弁１２が冷房モード接続状態（図１の実線の状態）に切り換えられる。そして四路切換弁１２が冷房モード接続状態に切り換えられた状態で圧縮機１１が運転する。その結果、四路切換弁１２の切換ポート１２ａ，１２ｂ間には圧力差が生じる。
【００５２】
四路切換弁１２の切換ポート１２ａ，１２ｂ間の圧力差を解消しない状態で四路切換弁１２の接続状態を冷房モード接続状態から暖房モード接続状態（図１の破線の状態）に変更する場合、四路切換弁１２の切換ポート１２ａ，１２ｂ間の圧力差に起因して四路切換弁１２の高圧となるポートと低圧となるポートとが連通するときの衝撃によって衝撃音（ショック音）が発生する。このため、四路切換弁の接続状態を冷房モード接続状態から暖房モード接続状態に変更する場合、四路切換弁１２の切換ポート１２ａ，１２ｂ間の圧力差を解消する必要がある。
【００５３】
そこで、制御部５０は、四路切換弁１２の切換ポート１２ａ，１２ｂ間の圧力差を解消するために圧縮機１１の運転周波数を第２目標周波数ＦＡ２（１６Ｈｚ）に維持した状態で所定期間に亘り圧縮機１１を運転させる。ところで、比較空調装置の圧縮機のように第１目標周波数ＦＡ１から第２目標周波数ＦＡ２に変更するときの変更速度が第２変更速度（毎秒２Ｈｚ）及び第３変更速度（毎秒２Ｈｚ）と等しいため、第１目標周波数ＦＡ１から第２目標周波数ＦＡ２に変更されるまでの時間（時刻ｔ３〜時刻ｔｘ４）が長くなる。これにより、第２目標周波数ＦＡ２に変更されてから暖房運転を開始するまでの時間（時刻ｔｘ４〜時刻ｔ５）が短くなり、すなわち四路切換弁１２の切換ポート１２ａ，１２ｂ間の圧力差を解消させるための時間が短くなる。その結果、四路切換弁１２の切換ポート１２ａ，１２ｂ間の圧力差を十分に小さくすることができない。このため、これにより、四路切換弁１２の接続状態を冷房モード接続状態から暖房モード接続状態に変更する場合のショック音を十分に低減することができない。
【００５４】
また、比較空調装置の圧縮機が第２目標周波数ＦＡ２で運転する期間を長くとることにより、すなわち暖房運転の開始時刻を遅らせることにより、四路切換弁１２の切換ポート１２ａ，１２ｂ間の圧力差を十分に小さくすることができるが、リモートコントローラ５１による暖房運転の指示から室内空気の温度が設定温度に達するまでの時間が長くなってしまう。
【００５５】
この点、本実施形態では、図５の実線のグラフに示すように、制御部５０は、冷媒排気起動運転において、圧縮機１１の運転周波数を第１目標周波数ＦＡ１から第２目標周波数ＦＡ２に低下させるときの変更速度（第１変更速度）を、暖房運転時における圧縮機１１の運転速度の変更速度（第２変更速度）及び冷媒排出起動運転時における圧縮機１１の運転周波数の上昇速度（第３変更速度）よりも速くしている。すなわち、圧縮機１１の運転周波数を第１目標周波数ＦＡ１から速やかに第２目標周波数ＦＡ２に変更することにより、圧縮機１１の運転周波数を第２目標周波数ＦＡ２に維持して運転する期間（時刻ｔ３〜時刻ｔ４）を長くしている。これにより、四路切換弁１２の切換ポート１２ａ，１２ｂ間の圧力差を解消するための時間を確保できるとともに、冷媒排気起動運転を開始してから圧縮機保護制御を開始するまでの期間が長くなることを抑制できる。
【００５６】
本実施形態によれば、以下の効果が得られる。
（１）冷媒排出起動運転において第１目標周波数ＦＡ１から第２目標周波数ＦＡ２に変更する第１変更速度が暖房運転時における圧縮機の運転周波数の変更速度である第２変更速度よりも速い。このため、冷媒排出起動運転を開始してから暖房運転を開始するまでの期間において第２目標周波数ＦＡ２で圧縮機１１を運転させる期間を長くすることができる。圧縮機１１を第２目標周波数ＦＡ２で運転するは、四路切換弁１２の切換ポート１２ａ，１２ｂ間の圧力差を低減することに寄与する。したがって、第２目標周波数ＦＡ２で圧縮機１１を運転させる期間を長くすることにより四路切換弁１２の切換ポート１２ａ，１２ｂ間の圧力差を低減する効果が高まる。したがって、暖房運転の起動時に発生する四路切換弁１２のショック音を低減することができる。
【００５７】
（２）第１変更速度が第２変更速度の２倍以上であることにより、冷媒排出起動運転を開始してから暖房運転（圧縮機保護制御）を開始するまでの期間において第２目標周波数ＦＡ２で圧縮機１１を運転させる期間をより長くすることができる。したがって、暖房運転（圧縮機保護制御）の起動時に発生する四路切換弁１２のショック音を一層低減することができる。
【００５８】
また本実施形態では第１変更速度が第２変更速度の５倍であるため、冷媒排出起動運転を開始してから暖房運転を開始するまでの期間において第２目標周波数ＦＡ２で圧縮機１１を運転させる期間をより一層長くすることができる。したがって、暖房運転（圧縮機保護制御）の起動時に発生する四路切換弁１２のショック音をより一層低減することができる。
【００５９】
（３）冷媒排出起動運転において第１目標周波数ＦＡ１から第２目標周波数ＦＡ２に変更する第１変更速度が冷媒排出起動運転における圧縮機の運転周波数の上昇速度である第３変更速度よりも速い。このため、冷媒排出起動運転を開始してから暖房運転（圧縮機保護制御）を開始するまでの期間において第２目標周波数ＦＡ２で圧縮機１１を運転させる期間を長くすることができる。圧縮機１１を第２目標周波数ＦＡ２で運転することは、四路切換弁１２の切換ポート１２ａ，１２ｂ間の圧力差を低減することに寄与する。したがって、第２目標周波数ＦＡ２で圧縮機１１を運転させる期間を長くすることにより四路切換弁１２の切換ポート１２ａ，１２ｂ間の圧力差を低減する効果が高まる。したがって、暖房運転の起動時に発生する四路切換弁１２のショック音を低減することができる。
【００６０】
（４）第１変更速度が第３変更速度の２倍以上であることにより、冷媒排出起動運転を開始してから暖房運転（圧縮機保護制御）を開始するまでの期間において第２目標周波数ＦＡ２で圧縮機１１を運転させる期間をより長くすることができる。したがって、暖房運転の起動時に発生する四路切換弁１２のショック音を一層低減することができる。
【００６１】
また本実施形態では第１変更速度が第２変更速度の５倍であるため、冷媒排出起動運転を開始してから暖房運転（圧縮機保護制御）を開始するまでの期間において第２目標周波数ＦＡ２で圧縮機１１を運転させる期間をより一層長くすることができる。したがって、暖房運転（圧縮機保護制御）の起動時に発生する四路切換弁１２のショック音をより一層低減することができる。
【００６２】
（５）冷媒排出起動運転において圧縮機１１が０よりも大きい第２目標周波数ＦＡ２で運転することにより、冷媒排出起動運転終了後に圧縮機１１を一旦停止した後に暖房運転を行う場合と比較して、暖房運転開始時における圧縮機１１の運転周波数の上昇をスムーズに行うことができる。したがって、暖房運転開始時における暖房能力を高めることができる。
【００６３】
（６）冷媒排出起動運転において圧縮機１１が第２目標周波数ＦＡ２で運転している期間において、室外送風機１５が第１回転速度ＲＳ１よりも速い第２回転速度ＲＳ２で駆動することにより、室外送風機１５が室外熱交換器１３を冷却する。これにより、四路切換弁１２の切換ポート間の圧力差を低減する効果を高めることができる。
【００６４】
（７）冷媒排出起動運転において圧縮機１１の運転周波数が第１目標周波数ＦＡ１から第２目標周波数ＦＡ２に変更して圧縮機１１が運転するときに膨張弁１４の開度が第１開度ＶＡ１のままの場合、液戻りするおそれがある。その点、本実施形態では、圧縮機１１が第２目標周波数ＦＡ２で運転するときに膨張弁１４の開度を第１開度ＶＡ１よりも小さく、かつ基準開度よりも大きい第２開度ＶＡ２に変更する。これにより、液戻りを抑制することができる。
【００６５】
（８）冷媒排出起動運転を行うことにより寝込み現象が解消されるため、圧縮機保護制御における圧縮機１１の運転周波数を必要運転周波数ＦＸに達するまでの期間、すなわち圧縮機保護制御の実行期間を短くすることができる。すなわち、圧縮機保護制御における圧縮機１１の運転周波数の立ち上げを速くすることができる。詳述すると、図４（ａ）の破線のグラフのように、冷媒排出起動運転を実行していない場合の圧縮機保護制御では、寝込み現象に起因する圧縮機１１の不具合を回避するため、圧縮機１１の運転周波数が必要運転周波数ＦＸに達するまでの段階的な目標周波数の数が多くなる。このため、圧縮機保護制御の実行期間が長くなる。その点、本実施形態の圧縮機保護制御では、寝込み現象が解消されているため、図４（ａ）の実線で示すように、圧縮機１１の運転周波数が必要運転周波数ＦＸに達するまでの段階的な目標周波数の数が少なくなり、その目標周波数を維持する時間も短くなる。このため、冷媒排出起動運転を行ったとしても、圧縮機保護制御によって圧縮機１１の運転周波数が必要運転周波数ＦＸに達するまでの時間は、冷媒排出起動運転を実行していない場合の圧縮機保護制御によって圧縮機１１の運転周波数が必要運転周波数ＦＸに達するまでの時間よりも短くなる。したがって、暖房運転開始時における暖房能力を高めることができる。
【００６６】
（９）制御部５０は、選択制御において寝込み現象が発生していないと判定した場合に暖房運転（圧縮機保護制御）を開始する。このため、選択制御において寝込み現象が生じていなければ、冷媒排出起動運転を省略して暖房運転（圧縮機保護制御）を実行できる。したがって、より速やかに室内温度ＤＡを設定温度に達することができる。
【００６７】
この場合、圧縮機保護制御では、図４（ａ）の実線に示すような圧縮機１１の運転周波数の立ち上げを行う。このため、圧縮機保護制御の実行期間が短くなるため、暖房運転開始時における暖房能力を高めることができる。
【００６８】
（１０）冷媒排出起動運転における圧縮機１１の運転周波数（第１目標周波数ＦＡ１）が暖房運転における圧縮機１１の運転周波数の立ち上げ後の運転周波数（必要運転周波数ＦＸ）よりも低い。このため、圧縮機１１を第１目標周波数ＦＡ１から第２目標周波数ＦＡ２に変更するまでの時間を短くすることができる。すなわち、冷媒排出起動運転を開始してから暖房運転（圧縮機保護制御）を開始するまでの期間において第２目標周波数ＦＡ２で圧縮機１１を運転させる期間を長くすることができる。したがって、暖房運転（圧縮機保護制御）の起動時に発生する四路切換弁１２のショック音を低減することができる。
【００６９】
（変形例）
上記実施形態に関する説明は、本発明に従う空調装置が取り得る形態の例示であり、その形態を制限することを意図していない。本発明に従う空調装置は、上記実施形態以外に例えば以下に示される変形例、及び相互に矛盾しない少なくとも２つの変形例が組み合せられた形態を取り得る。
【００７０】
・上記実施形態において、制御部５０は、リモートコントローラ５１によって冷房運転を指示されたときに選択制御を実行してもよい。この場合の選択制御のステップＳ１４は、暖房運転の実行に代えて、冷房運転の実行となる。
【００７１】
ところで、空調装置１が停止した場合、室内空気及び室外空気のうちの温度の低いほうに冷媒が凝縮して溜まり込むため、室内空気が室外空気よりも低ければ室内熱交換器２１内に液冷媒が溜まり込む。その状態で圧縮機１１が駆動すると、アキュームレータ１１ａを介して室内熱交換器２１内の液冷媒が圧縮機１１に入り込むため、圧縮機１１のオイルフォーミングが発生する場合がある。そこで、空調装置１は、冷房運転（圧縮機保護制御）の運転開始に伴う圧縮機１１の起動時において、冷媒排気起動運転を実行する。この場合、制御部５０は、四路切換弁１２を暖房モード接続状態にして冷房運転とは逆サイクルとする。これにより、室内熱交換器２１内の液冷媒が排出され室外熱交換器１３に向けて流れる。
【００７２】
冷房運転の運転開始に伴う圧縮機１１の起動時における冷媒排気起動運転では、四路切換弁１２を暖房モード接続状態に切り換えること、室外送風機１５に代えて室内送風機２２のモータ２２ａの回転速度を室外送風機１５のモータ１５ａの回転速度と同様に変更すること以外は、暖房運転の運転開始に伴う冷媒排気起動運転と同様である。すなわち圧縮機１１の運転周波数の変更態様は、冷房運転の運転開始に伴う冷媒排気起動運転と、暖房運転の運転開始に伴う冷媒排気起動運転とで同様である。したがって、制御部５０は、冷房運転の運転開始に伴う冷媒排気起動運転において、圧縮機１１の運転周波数を第１目標周波数ＦＡ１から第２目標周波数ＦＡ２に低下するときの変更速度（第２変更速度）は、第１変更速度や第３変更速度よりも速くなるように圧縮機１１を制御する。
【００７３】
・上記実施形態の選択制御において、寝込み現象が発生したか否かの判定（ステップＳ１１）のための条件を以下のように変更してもよい。
〔Ａ〕条件４及び条件５に代えて、次の条件６〜条件８としてもよい。
（条件６）外気温ＤＯＡが室外温度範囲の上限値ＤＯＡＨよりも高いこと（ＤＯＡ＞ＤＯＡＨ）。
（条件７）室内温度ＤＡから外気温ＤＯＡを減算した値が、予め設定された温度差閾値ＤＤＸよりも大きいこと（ＤＡ−ＤＯＡ＞ＤＤＸ）。
（条件８）室内温度ＤＡが室内温度閾値ＤＡＸよりも低いこと（ＤＡ＜ＤＡＸ）。
【００７４】
ここで、温度差閾値ＤＤＸは、寝込み現象が発生する可能性が高いと予測される内外空気の温度差であり、試験等により予め設定される。温度差閾値ＤＤＸの一例は、５℃である。また室内温度閾値ＤＡＸの一例は、１２℃である。
【００７５】
〔Ｂ〕条件２及び条件３の少なくとも一方を省略してもよい。
〔Ｃ〕条件４及び条件５の少なくとも一方を省略してもよい。
・上記実施形態において、選択制御を省略してもよい。この場合、制御部５０は、リモートコントローラ５１によって暖房運転又は冷房運転を指示されたときに冷媒排出起動運転を実行する。
【００７６】
・上記実施形態において、切換機構として四路切換弁１２について説明したが、切換機構は四路切換弁１２に限られるものではない。冷媒排出起動運転と暖房運転又は冷房運転との切り換えに用いられ、これらの運転の切り換え時のショック音を抑制するために圧縮機１１の吐出口に接続されているポートと圧縮機１１の吸入口に接続されているポートとの均圧を要する切換機構であれば、四路切換弁以外のものであってもよい。
【００７７】
・上記実施形態において、制御部５０は、図４の時刻ｔ３から時刻ｔ４までの期間で圧縮機１１の運転周波数を第２目標周波数ＦＡ２に維持するように圧縮機１１を制御したが、四路切換弁１２の切換ポート１２ａ，１２ｂ間の圧力差を解消できるのであれば、この期間における圧縮機１１の運転周波数を変化させてもよい。
【００７８】
・上記実施形態において、室外制御装置１６及び室内制御装置２３のいずれかを省略してもよい。例えば室内制御装置２３を省略した場合、室内温度センサ５２、及び室内熱交換器温度センサ５３は室外制御装置１６と有線又は無線により接続される。また室内送風機２２は室外制御装置１６と有線により接続される。
【符号の説明】
【００７９】
１…空調装置
１１…圧縮機
１２…四路切換弁（切換機構）
１３…室外熱交換器
１４…膨張弁
１５…室外送風機
２１…室内熱交換器
４０…冷媒回路
ＦＡ１…第１目標周波数
ＦＡ２…第２目標周波数
ＲＳ１…第１回転速度
ＲＳ２…第２回転速度
ＶＡ１…第１開度
ＶＡ２…第２開度
【図１】
2019082278.tif 000003
【図２】
2019082278.tif 000004
【図３】
2019082278.tif 000005
【図４】
2019082278.tif 000006
【図５】
2019082278.tif 000007